【事件の表示】
　平成１１年特許願第１３１６１９号「折りたたみ式携帯型通信装置」拒絶査定不服審判事件〔平成１２年１１月２４日出願公開、特開２０００−３２４２１３〕について、次のとおり審決する。
【結　論】
　本件審判の請求は、成り立たない。
【理　由】
第１．手続の経緯
　本願は、平成１１年５月１２日の出願であって、平成２１年６月１８日付けで拒絶査定がなされ、これに対し、平成２１年９月１４日に拒絶査定に対する審判請求がなされるとともに、同日付けで手続補正がなされたものである。
　
　
第２．補正却下の決定
［補正却下の決定の結論］
　平成２１年９月１４日付けの手続補正を却下する。
　
［理由］
１．本願発明と補正後の発明 
　上記手続補正（以下、「本件補正」という。）は、補正前の平成２０年４月２２日付けの手続補正の特許請求の範囲の請求項１に記載された
　「【請求項１】　装置本体と、上記装置本体に設けられる第１のマイクロホンと、上記装置本体の前面を覆う開閉カバーと、上記開閉カバーの内面側に設けられる第２のマイクロホンと、上記開閉カバーの回動中心部に開閉カバーの開閉にともない第１のマイクロホンと第２のマイクロホンとの接続回路を切り換えるパターン切換手段と、をそなえたことを特徴とする携帯型通信装置。」
という発明（以下、「本願発明」という。）を、
　
　「【請求項１】　装置本体と、上記装置本体に設けられる第１のマイクロホンと、上記装置本体の前面を覆う開閉カバーと、上記開閉カバーの内面側に設けられる第２のマイクロホンと、上記開閉カバーの回動中心部にヒンジ構造と一体に開閉カバーの開閉にともない第１のマイクロホンと第２のマイクロホンとの接続回路を切り換えるパターン切換手段と、をそなえたことを特徴とする折りたたみ式携帯型通信装置。」
という発明（以下、「補正後の発明」という。）に補正することを含むものである。
　
２．補正の適否 
（１）新規事項の有無、補正の目的要件 
　上記補正は、補正前の特許請求の範囲の請求項１に記載された、願書に最初に添付した明細書又は図面に記載した事項の範囲内において、パターン切換手段に「ヒンジ構造と一体に」を付加して限定し、携帯型通信装置に「折りたたみ式」を付加して限定することにより、特許請求の範囲を減縮するものであるから、特許法第１７条の２第３項（新規事項）及び平成１８年法律第５５号改正法の附則第３条第１項によりなお従前の例によるとされる同法による改正前の特許法第１７条の２第４項第２号（補正の目的）の規定に適合している。
　
（２）独立特許要件
　上記補正は特許請求の範囲の減縮を目的とするものであるから、上記補正後の発明が特許出願の際独立して特許を受けることができるものであるのかどうかについて以下に検討する。
　
［補正後の発明］ 
　上記「１．本願発明と補正後の発明」の項で「補正後の発明」として認定したとおりである。
　
［引用発明］
　（Ａ）原審の拒絶理由に引用された特開平５−３２７８４２号公報（以下、「引用例１」という。）には、「携帯電話機」として図面とともに以下の事項が記載されている。
　
　イ．「【請求項１】  第１キャビネットと第２キャビネットを回動自在に結合した携帯電話機において、夫々のキャビネットを閉じたとき、他方のキャビネットに覆われない一方のキャビネットの部分に設けた通話キーと、夫々のキャビネットを閉じたとき及び開いたときに音声の入力を可能にするように一方或いは他方のキャビネットに設けた２個のマイクロホンと、夫々のキャビネットが閉じられた状態であるか開かれた状態であるかを検出する検出手段と、該検出手段に基づいて前記夫々のマイクロホンを切換選択する選択手段とからなることを特徴とする携帯電話機。」
（２頁１欄２〜１２行）
　
　ロ．「【０００２】
【従来の技術】従来より、親機と子機の組合せよりなり、電話回線に親機を接続し子機を親機から離れた場所で通話できるようにしたコードレス電話機が普及しており、また電話局と無線によって接続されるセルラー電話機が使われるようになった。このような携帯用電話機にあっては、例えば実開平１−６５５４１号公報の如く携帯時の便を図るために２つのキャビネットを回動自在に結合して折りたたみ自在にし、そしてこのキャビネットの相対向する面にテンキー等を配置すると共に一方のキャビネットにスピーカを、他方のキャビネットにマイクロホンを配置して小型化を図るようにしたものがある。」
（２頁１欄１７〜２８行）
　
　ハ．「【０００６】
 【実施例】本発明の実施例を図面に基づいて説明する。図１において、（１）は電子部品等を内蔵する第１キャビネット、（２）は該第１キャビネットにヒンジ部（３）を介して回動自在に装着した第２キャビネットである。
【０００７】第１キャビネット（１）には、受話部（４）、通話キー（５）、切キー（６）、ダイヤルキー（７）及び電源キー（８）が設けられ、そして第２キャビネット（２）を閉じると、図２のようにダイヤルキー（７）及び電源キー（８）はこの第２キャビネット（２）により覆われるようになっている。又、第１キャビネット（１）にはロック機構（図示せず）が設けられ、閉じた状態を保持するようにし、そして解除ボタン（９）でロックを解除するようにしている。尚、通話キー（５）及び切キー（６）は、第２キャビネット（２）により覆われないが、凹所（１０）内に設けられているために、携帯時に誤操作される恐れは少ない。
【０００８】ところで、第２キャビネット（２）には送話部を設けているが、本発明では図１、図２に示すように開いた状態、閉じた状態の夫々に対応して第１送話部（１１）及び第２送話部（１２）を設けている。そして、夫々の送話部（１１）（１２）に対応して図３に示すようにマイクロホン（１３）（１４）を設けている。尚、このマイクロホン（１３）（１４）は図４に示すように第２キャビネット（２）の下板（１５）のリブ（１６）内にはめ込まれ、そして上板（１７）と下板（１５）により挟持されている。
【０００９】而して、上記構成において、例えば夫々のキャビネット（１）（２）を閉じて携帯している時に、外線からの着信があった場合は通話キー（５）を操作して応答すれば夫々のキャビネット（１）（２）を開くことなくそのままの状態で通話でき、又切キー（６）を操作すれば通話を終了することができる。そして、ダイヤル発信する場合は夫々のキャビネット（１）（２）を開いた後に、通話キー（５）及びダイヤルキー（７）を操作すれば夫々のキャビネット（１）（２）を閉じることなくそのままの状態で通話できる。
【００１０】しかし、２個のマイクロホン（１３）（１４）を作動させると、通話に必要ない一方のマイクロホンより周囲雑音が入り（図１の状態では電話機の裏面側からの雑音も入力することになる）、又音声が回り込んでレベルの異なる音声が夫々のマイクロホン（１３）（１４）に遅延して入ることになり、通話相手は聞きづらいため、本発明では、図１に示すように第１キャビネット（１）に孔（１５）、そして第２キャビネット（２）に突起（１６）を設け、夫々のキャビネット（１）（２）を閉じたとき図５に示すように孔（１５）を介して突起（１６）により第１キャビネット（１）内に設けた切換スイッチ（１７）を操作するようにしている。
【００１１】斯して、切換スイッチ（１７）は第２キャビネット（２）に内蔵した制御回路（１８）に接続され、そして制御回路（１８）は切換スイッチ（１７）のＯＮ−ＯＦＦに応じてどちらか一方のトランジスタ（１９）（２０）をＯＮさせることにより、開いた状態（図１）ではマイクロホン（１４）を不動作にし、閉じた状態（図２）ではマイクロホン（１３）を不動作にすることになる。」
（２頁２欄２行〜３頁３欄１０行）
　
　上記イ．乃至ハ．の摘記事項及び図面ならびにこの分野の技術常識を考慮すると、
　引用例１には、「第１キャビネット１」と第１キャビネット１の前面を覆う「第２キャビネット２」からなる折りたたみ自在な携帯電話機、すなわち「折りたたみ式携帯電話機」に関する技術について記載があり、
　第２キャビネット２に、キャビネットを閉じたとき及び開いたときにそれぞれ音声の入力を可能にするマイクロホン１３，１４を設けられており、
　第２キャビネット２が閉じられた状態であるか開かれた状態であるかを検出してそれぞれのマイクロホンを制御回路１８に切り換えて接続するための切換スイッチ１７が設けられている。
　したがって、引用例１には、以下の発明（以下、「引用発明１」という。）が開示されている。
　
（引用発明１）
　「第１キャビネット１と、上記第１キャビネット１の前面を覆う第２キャビネット２と、上記第２キャビネット２に設けられ第２キャビネットを閉じたとき音声の入力が可能となるマイクロホン１４と、上記第２キャビネット２の内面側に設けられ第２キャビネットを開いたとき音声の入力が可能となるマイクロホン１３と、上記第１キャビネット１に上記第２キャビネット２の開閉にともないマイクロホン１４とマイクロホン１３との制御回路１８を切り換える切換スイッチ１７と、をそなえた折りたたみ式携帯電話機。」
　
　（Ｂ）また、原審の拒絶理由に引用された特開平１１−２７３５７号公報（以下、「引用例２」という。）には、図面とともに以下の事項が記載されている。
　
　ニ．「【００１３】図４は、本発明のフリップ型携帯用端末機の一例を示す図である。また、図５は、図４の携帯用端末機をａ方向より眺めた側面図である。本例のフリップ型携帯用端末機１は、本体１０と、本体１０の下側に設けられた第１フリップカバー２０と、本体１０の上側に設けられた第２フリップカバー４０と、を備えている。そして、本体１０の上下部には、両フリップカバーの開閉装置を納めた上下の収納部１１，１２が設けられ、マイクロホン３０は第１フリップカバー２０に、スピーカ５０は第２フリップカバー４０に設置されている。また本体１０下部の収納部１１にもマイクロホン１７が併設される。
【００１４】本例の携帯用端末機１では、フリップカバー２０，４０を本体１０の上下側の両方に設け、第１フリップカバー２０にはマイクロホン３０を、第２フリップカバー４０にはスピーカ５０を取り付ける。即ち、従来下側のみに設けられたフリップカバーを上側にも備える構造とした。下側の収納部１１に内装されたフリップカバー開閉装置と同様のフリップカバー開閉装置を本体１０の上側の収納部１２にも設け、該開閉装置にフリップカバー２０，４０が各々組み付けられる。
【００１５】本体１０側面には、第１及び第２フリップカバー２０，４０を開閉させるときにフリップカバー２０，４０をつまみやすくするように、切欠１３，１４が形成される。また、上方に延長するアンテナ部６０を本体１０側面に突設することにより、第２フリップカバー４０の開閉動作と干渉することがないようにする。
【００１６】次に、図６及び図７に基づいて本例の携帯用端末機の使用形態を説明する。
【００１７】図６は、本例の携帯用端末機１００の使用時の状態を示す図である。また、図７は、図６の携帯用端末機をｂ方向より眺めた側面図である。本体１０の下側収納部１１に内装されたフリップカバーの開閉装置に、第１フリップカバー２０が取り付けられ、第１フリップカバー２０の内面にマイクロホン３０が設置される。該マイクロホン３０は、第１フリップカバー２０と下側開閉装置を経由して、本体１０内部のオーディオ回路に機械的接点方式(mechanical contact)で接続される。
【００１８】また、本体１０の上側収納部１２に内装されたフリップカバー開閉装置に、第２フリップカバー４０が取り付けられ、第２フリップカバー４０の内面にはスピーカ５０が設置される。該スピーカ５０は、第２フリップカバー４０と上側開閉装置を経由して、本体１０のオーディオ回路に機械的接点方式で接続される。
【００１９】本例の第１及び第２フリップカバー２０，４０を図６及び図７のように上下に開いたときマイクロホン３０とスピーカ５０間の距離は約１４cmとなり、使用者が通話するに十分な間隔が確保されている。」
（３頁３欄６行〜４欄４行）
　
　ホ．「【００２２】さらに、使用者が急に通話しようとする場合には、第１フリップカバー２０を開かずに、第２フリップカバー４０を開くことにより、本体１０の下端に設けられたマイクロホン１７を通じて相手との通話が可能である。」
（３頁４欄１６行〜２０行）
　
　上記ニ．乃至ホ．の摘記事項及び図面ならびにこの分野の技術常識より、引用例２には、以下の発明（以下、「引用発明２」という。）が開示されている。
　
（引用発明２）
　「本体１０と、上記本体１０に設けられるマイクロホン１７と、上記本体１０の前面を覆う第１フリップカバー２０と、上記第１フリップカバー２０の内面側に設けられるマイクロホン３０と、をそなえたフリップ型携帯用端末機。」
　
［周知例］
　（Ｃ）例えば、原審の拒絶理由に引用された国際公開第９８／４９８１４号（以下、「周知例１」という。）には、図面とともに以下の事項が記載されている。
　
　ヘ．「A microphone connecting device for a flip type portable telephone according to a second aspect of the present invention includes a telephone body, a flip cover, and a hinge apparatus for coupling the flip cover to the telephone body, comprising a microphone mounted on the flip cover, first connection terminals attached to respective knuckles of the flip cover, the terminals being electrically connected to the microphone, and second connection terminals disposed at both sides of the telephone body, being connected to an audio circuit in the telephone body, wherein sliding surfaces of the first connection terminals contact with respective contact surfaces of the second connection terminals when the flip cover is opened from the telephone body, wherein the sliding surfaces are disconnected from the contact surfaces when the flip cover is closed to the telephone body, whereby the microphone is electrically connected to the audio circuit through the first connection terminals when the flip cover is opened.
　Preferably, each of the first connection terminals comprises a planar surface, a curved surface, a sliding surface, and a hook surface. The knuckle preferably has an opening formed about its circumference, into which the sliding surface of the first connection terminal is inserted for fixing the first connection terminal to the knuckle.
　A flip-type telephone according to another aspect of the present invention includes a flip cover coupled to a telephone body, comprising a microphone in a the flip cover, an audio circuit in the telephone body, first mating means in the flip cover for mating with a second mating means in the telephone body wherein the first and second mating means each includes electrically conductive members for forming an electrical connection between said microphone and said audio circuit at least when said flip cover is opened relative to said telephone body, wherein at least one of said electrically conductive members includes elastic characteristics.」
（４頁１２行〜５頁２３行）
　（邦訳）
「電話機本体、フリップカバー及びフリップカバーを電話機本体と連結するためのヒンジ装置を備える本発明の他の一面によるフリップ型携帯電話のマイクロフォン接続装置は、フリップカバーに設けられたマイクロフォンと、フリップカバーの各ナックルに取り付けられてマイクロフォンに電気的に接続される第１接続端子と、電話機本体の両側に位置して電話機本体のオーディオ回路に接続される第２接続端子とを備え、フリップカバーを電話機本体へ閉じたときに第１接続端子の摺動（スライディング）面部が第２接続端子の各接触面から離れ、フリップカバーを電話機本体から開くと、第１接続端子の摺動面部と第２接続端子の各接触面が接触し、このフリップカバーの開状態でマイクロフォンが第１接続端子を通じてオーディオ回路に電気的に接続される。
  好ましくは、第１接続端子のそれぞれは平面部、曲面部、摺動面部及び係止面部を含むとよい。また、ナックルは好ましくはその外周面に形成されて第１接続端子の摺動面部が第１接続端子をナックルに固定するように挿入される開口を有するとよい。
  さらにまた、電話機本体に連結されたフリップカバーを備える本発明の他の一面によるフリップ型携帯はフリップカバー内のマイクロフォンと、電話機本体内のオーディオ回路と、フリップカバー内の第１連結手段と、この第１連結合手段と連結する電話機本体内の第２連結手段とを備え、第１及び第２連結手段は、少なくともフリップカバーが電話機本体に対して開いているとき、マイクロフォンとオーディオ回路との電気的接続を形成する電気的導電性部材をそれぞれ含み、電気的な導電部材のうち、少なくともいずれか一方は弾性を有する。」
　
　ト．「FIG. 11 is a perspective view illustrating a second embodiment according to the present invention, wherein a second connection terminal 90 is fitted into the knuckle 210 of the flip cover 200. FIG. 12 is a plan view illustrating a state where the second connection terminal 90 is installed in the flip cover 200 according to the second embodiment of the present invention. FIG. 13 is a cross-sectional view taken along line X2-X2 of FIG. 12.
　As illustrated in FIGS. 11 to 13, the microphone connecting device attached to the flip cover 200 according to the second embodiment of the present invention has the second connection terminal 90 installed in the flip cover 200 and a third connection terminal 95 installed in the telephone body 100. When the flip cover 200 is opened, the two connection terminals 90 and 95 contact each other. Similarly, the microphone 80 is installed in the flip cover 200. The electric wire 81 of the microphone 80 is electrically connected to the second connection terminal 90. Meantime, the third connection terminal 95 (see FIGS. 14 and 15) connected to the printed circuit board (not shown) is installed in the telephone body 100, at a position corresponding to the second connection terminal 90. Here, the second and third connection terminals 90 and 95 make contact with each other, when the flip cover is opened.
　As illustrated in FIGS. 11 to 13, the flip cover 200 has the neck part 201 extending therefrom and the knuckle 210 in turn extending from the neck part 201. The flip cover 200 is detachable from the telephone body 100. Further, the knuckle 210 has the hooking part 220 formed therein. The second connection terminal 90 is disposed between knuckle 210 and the hooking part 220 in the arrow direction. A guide groove 214 is formed at a specific position on the circumference of the knuckle 210, and has an opening 215 through which a part of the second connection terminal 90 is to be projected. The hooking part 220 has the disassembly groove 221, and the groove 212, formed in the vicinity of the neck part 201, into which the second connection terminal 90 is to be inserted.
　The second connection terminal 90 according to the second embodiment of the present invention has a planar surface 91, a curved surface 92, and a sliding surface 93. The planar surface 91 is electrically connected to the microphone 80 via the electric wire 81, the curved surface 92 is tightly inserted between the knuckle 210 and the hooking part 220, and the sliding surface 93 is inserted into the opening 215 formed at the circumference of the knuckle 210, protruding therethrough. An end portion 94 of the second connection terminal 90 is formed such that the sliding surface 93 is trapped into the opening 215. The second connection terminal 90, having the elastic force at the curved surface 92, makes a close contact with the knuckle 210 and the hooking part 220. The guide groove 214 formed at the circumference of the knuckle 210 guides the movement of the third connection terminal 95, when opening the flip cover 200.
　FIG. 14 is a plan view illustrating a state where the third connection terminal 95 is installed in the telephone body 100 according to the second embodiment of the present invention, and FIG. 15 is a cross-sectional view taken along line Y2-Y2 of FIG. 14. As illustrated in FIGS. 14 and 15, the first and second hinge modules M1 and M2 are installed at both sides of the receiving part 105 positioned at the bottom of the telephone body 100, and the third connection terminal 95 is made by bending a conductive elastic material in the shape of a bar. The third connection terminal 95 has a plane surface 96, a contact surface 97, and a hooking surface 98. The plane surface 96 of the third connection terminal 95 is fixed to the main printed circuit board 130 of the telephone body 100, thereby to attach the flip cover 200 to the telephone body 100 and connect the microphone 80 to the audio circuit. The contact surface 97 of which the peak juts into a rotation surface 100 of the telephone body 100, contacts the second connection terminal 90, when opening the flip cover 200. The hooking surface 98 restrains the movement of the contact surface 97 to prevent an excessive jutting out of the contact surface 97. The third connection terminal 95 also has the elastic force.
　FIG. 16 is a perspective view illustrating how to assemble the flip cover 200 into the telephone body 100 according to the second embodiment of the present invention. FIG. 17A is a cross-sectional view illustrating the microphone connecting device in which the flip cover 200 is closed, and FIG. 17B is a cross-sectional view illustrating the microphone connecting device in which the flip cover 200 is opened from the telephone body 100.
　Referring to FIGS. 16, 17A, and 17B, the end portion 22a of the hinge shaft 2 is forcedly inserted into the hooking part 220 of the flip cover 200. As illustrated in FIG. 17A, when the flip cover 200 is in the close standby position at the angle of about zero degree, the sliding surface 93 of the second connection terminal 90 is separated from the contact surface 97 of the third connection terminal 95. However, as illustrated in FIG. 7B, when the flip cover 200 is in the open communication position at about 135 degrees, the sliding surface 93 moves along the rotation surface 110, making a surface contact with it, and at the same time, the contact surface 97 moves along the guide groove 214, making a surface contact with it. Consequently, the second connection terminal 90 contacts with the third connection terminal 95, thereby connecting the microphone 80 to the printed circuit board of the telephone body 100. The contact between the second and third connection terminals 90 and 95 is constantly maintained by means of the elastic force.
　Accordingly, when the flip cover 200 is opened, the microphone 80 is connected to the second connection terminal 90 via the electric wire 81. The sliding surface 93 of the second connection terminal contacts with the contact surface 97 of the third connection terminal 95. The contact surface 97 is connected to the audio circuit in the printed circuit board via the planar surface 96. Since the sliding surface 93 and the contact surface 97 both have elastic characteristics, the contact therebetween can be maintained. Further, even in case of an external impact, the contact can be maintained.
　If the flip cover 200 is closed, the sliding surface 93 is separated from the contact surface 97, disconnecting the microphone 80 from the audio circuit of the telephone body 100.」
（１８頁１６行〜２３頁８行）
　（邦訳）
　「図１１は本発明の第２実施態様による第２接続端子９０をフリップカバー２００のナックル２１０に装着する状態を示した斜視図である。図１２は本発明の第２実施態様による第２接続端子９０がフリップカバー２００に装着された状態を示した平面図である。図１３は図１２の断面線Ｘ２−Ｘ２の断面図である。
  図１１〜図１３に示したように、本発明の第２実施態様によるフリップカバー２００に取り付けられた接続装置は、フリップカバー２００に設けられる第２接続端子９０と本体１００に設けられる第３接続端子９５（図１４）を有する。フリップカバー２００を開状態にすると、二つの接続端子９０，９５は互いに接触する。第１実施態様と同様に、マイクロフォン８０はフリップカーバー２００に設けられる。マイクロフォン８０のワイヤ８１は第２接続端子９０に電気的に接続される。一方、プリント回路基板(図示せず)に接続された第３接続端子９５は第２接続端子９０に対応する位置で本体１００に設けられる。ここで、第２及び第３接続端子９０，９５はフリップカバーの開状態で相互に接触する。
  図１１〜図１３に示すように、フリップカバー２００は、それから延びるネック部２０１とそのネック部２０１から延びるナックル２１０を左右に備える。フリップカバー２００は本体１００からの着脱が可能であり、ナックル２１０の内部には係止部２２０が形成される。第２接続端子９０はナックル２１０と係止部２２０との間に図１１記載の矢印方向へ装着される。ナックル２１０の外周面の所定位置にはガイド溝２１４が形成され、このガイド溝２１４には第２接続端子９０の一部が突出するための開口２１５が形成される。係止部２２０は着脱溝２２１を備え、ネック部２０１の周辺には第２接続端子９０の挿入のための溝２１２が形成される。
  本発明の第２実施形態による第２接続端子９０は平面部９１、曲面部９２及び摺動面部９３を含む。平面部９１はワイヤ８１によりマイクロフォン８０に電気的に接続され、曲面部９２はナックル２１０と係止部２２０との間に挿入装着され、摺動面部９３はナックル２１０の外周面に形成された開口２１５に挿入されるとともに突出する。第２接続端子９０の端部９４は摺動面部９３が開口２１５に嵌合するように形成される。弾性的な曲面部９２を有する第２接続端子９０はナックル２１０の内周面に密着接触する。ナックル２１０の外周面に形成されたガイド溝２１４はフリップカバー２００を開く場合に第３接続端子９５の移動をガイドする。
  図１４は本発明の第２実施態様による第３接続端子９５が本体１００に設けられている状態を示した平面図であり、図１５は図１４の断面線Ｙ２−Ｙ２の断面図である。図１４及び図１５に示したように、第１及び第２ヒンジモジュールＭ１，Ｍ２は本体１００の下部に位置する収納部１０５の両側に設けられ、第３接続端子９５はバー形状の導電性弾性物質を曲げ処理することにより得られる。第３接続端子９５は平面部９６、接触面部９７及び係止面部９８を備える。この第３接続端子９５の平面部９６は本体１００のメインプリント回路基板１３０に固定され、それによってフリップカバー２００のマイクロフォン８０を本体１００のオーディオ回路に接続させる。その頂点が本体１００の回転面１１０に突出する接触面部９７はフリップカバー２００の開状態で第２接続端子９０と接触する。係止面部９８は接触面部９７の移動を抑制して接触面部９７の過度の突出を防止する役割を果たす。第３接続端子９５も弾性を保持する。
  図１６は本発明の第２実施態様によるフリップカバー２００を本体１００に装着する状態を示した斜視図である。図１７ａはフリップカバー２００の閉状態におけるマイクロフォン接続装置を示した断面図であり、図１７ｂはフリップカバー２００の開状態におけるマイクロフォン接続装置を示した断面図である。
  図１６、図１７ａ及び１７ｂを参照すると、フリップカバー２００の係止部２２０にヒンジシャフト２の端部２２ａを強制的に挿入する。図１７ａに図示したように、フリップカバー２００が約０°の角度で待機状態にある場合、第２接続端子９０の摺動面部９３は第３接続端子９５の接触面部９７から離れる。一方、図７ｂに図示したように、フリップカバー２００が約１３５°の角度で通話状態にある場合、摺動面部９３は回転面１１０に沿って面接触状態で移動するとともに、接触面部９７はガイド溝２１４に応じて面接触状態で移動する。次いで、第２接続端子９０は第３接続端子９５と接触してマイクロフォン８０を本体１００のプリント回路基板に接続させる。第２接続端子９０と第３接続端子９５との接触は弾性により維持される。
  このようにフリップカバー２００の開状態でマイクロフォン８０はワイヤ８１を介して第２接続端子９０に接続される。第２接続端子９０の摺動面部９３は第３接続端子９５の接触面部９７と接触する。接触面部９７は平面部９６を介ししてプリント回路基板内のオーディオ回路に接続される。スライディング面部９３と接触面部９７の両方が弾性を保持することで、接触状態を維持する。さらに、外部の衝撃が発生する場合でもその接触状態を維持することができる。
　フリップカバー２００の閉状態では摺動面部９３が接触面部９７から離れてマイクロフォン８０と本体１００のオーディオ回路との接続状態を解除する。」
　
　（Ｄ）また、例えば、特開平６−６９９９３号公報（以下、「周知例２」という。）には、図面とともに以下の事項が記載されている。
　
　チ．「【請求項１】　第１の電極を有する本体と、前記本体に開閉自在に設けられ開状態で前記第１の電極と接する第２の電極を有する開閉扉とを備えた電子機器筐体。」
（２頁１欄２〜４行）
　
  リ．「【０００９】
【実施例】以下、本発明の一実施例について、図１〜図９を参照しながら説明する。尚、本実施例では電子機器筐体として携帯電話を用いる。
【００１０】図１〜図３に示す通り、携帯電話は本体１２，開閉扉１３及び電池が収納されている蓄電池パック１４から構成される。本体１２には主としてスピーカ１５を有する受信部１６，回路基板１７ａ，操作ボタン１８ａ及びレバー１９が配されており、回路基板１７ａはリード線２０ａを介して第１の電極２１ａと連結され、また第１の電極２１ａは開閉扉１３に覆われている。図４に示す通り、レバー１９は係合爪２２ａ，回動軸２３，開閉扉展開ボタン２４を備え、ばね２５ａを介して本体１２と連結されている。開閉扉１３にはマイク２６を有する送信部２７，回路基板１７ｂ，操作ボタン１８ｂ及びヒンジ部２８が主として配されている。ヒンジ部２８には第２の電極２１ｂが設けられ、この電極２１ｂはリード線２０ｂを介して回路基板１７ｂに連結されている。
【００１１】次いで本体１２と開閉扉１３との連結について説明する。図５，図６に示す通り、本体１２に設けられた断面円形状の穴２９ａには開閉扉１３の凸部３０が遊嵌され、開閉扉１３に設けられた断面円形状の穴３１、及び本体１２に設けられＡ−Ａ′線を軸として穴２９ａと対称である断面Ｄ字状の穴２９ｂには軸部材３２が挿通され、この軸部材３２にはばね２５ｂが巻きつけられている。ばね２５ｂの一端は軸部材３２の溝３３に、他端は開閉扉１３に設けられた突起部３４間にそれぞれ挟み込まれている。ヒンジ部２８上方には蓋３５がかぶせられ、開閉扉１３の係合爪２２ｂが蓋３５の係合穴３６ａに、蓋３５の係合爪２２ｃが開閉扉１３の係合穴３６ｂにそれぞれ通され、開閉扉１３と蓋３５が係合状態になっている。
【００１２】上記構成における動作を説明すると、携帯電話を使用する場合には、開閉扉展開ボタン２４を押すと係合爪２２ａを備えたレバー１９が回動軸２３を中心として回動し（図７参照）、これによりばね２５ａが受信部１６方向へ収縮し、その結果開閉扉１３と係合爪２２ａとの係合が解除され、開閉扉１３にはヒンジ部２８のばね２５ｂによる力のみが作用し、開閉扉１３はＢ−Ｂ′線を中心として回動し（図５，図８参照）、受信部１６，操作ボタン１８ｂ及び送信部２７が表出される。（図８，図９参照）。このとき、本体１２に設けられた第１の電極２１ａと開閉扉１３に設けられた第２の電極２１ｂが接触状態にあり、操作ボタン１８ａ，１８ｂを操作することにより、携帯電話が使用可能となる。未使用時には、手動によりＢ−Ｂ′線を軸として開閉扉１３を回動させて折りたたむと本体１２の係合爪２２ａが開閉扉１３の係合穴３６ｃに係合し、携帯電話は図１，図２に示す状態となる。尚、この際、第１の電極２１ａと第２の電極２１ｂは非接触状態となり、本体１２と開閉扉１３の電気接続は解除される。
【００１３】このように本発明の一実施例によれば、本体１２に第１の電極２１ａを、開閉扉１３に第２の電極２１ｂをそれぞれ配し、第１の電極２１ａを覆って開閉扉１３を本体１２に取り付け、開閉扉１３が開状態の場合に第１の電極２１ａが第２の電極２１ｂに接触して本体１２と開閉扉１３が電気的に接続されるものとしたので、本体１２と開閉扉１３とを電気接続するためにフレキシブル基板が不要となり、フレキシブル基板の損傷に起因する回路の断線が発生せず、このため開閉扉１３が開状態でも衝突等外力の作用による回路の損傷が生じにくくなり、その結果回路の断線発生を低減することが可能となる。また、フレキシブル基板を配する必要がなくなったことにより、フレキシブル基板の不配備が原因で本体１２または開閉扉１３の組立をやり直すことがなくなり、組立作業にかかる時間の浪費の低減が可能となる。さらに、第１の電極２１ａと第２の電極２１ｂとの接触の有無により本体１２と開閉扉１３との電気接続及びその解除を調整するものとしたので、開閉扉１３の開閉により電源のオンオフを調整することができ、操作上の手間を省くことができる。」
（２頁２欄１１行〜３頁３欄３２行）
　
　上記ヘ．乃至上記リ．の摘記事項および関連図面によれば、上記周知例１乃至周知例２には、以下の周知技術が記載されている。
　
　折りたたみ式携帯型通信装置において、装置本体と、装置本体の前面を覆う開閉カバーと、開閉カバーの内面側に設けられるマイクロホンと、開閉カバーの回動中心部にヒンジ構造と一体に開閉カバーの開閉にともないマイクロホンを使用可能とするように電気的に接続する接続手段と、をそなえる技術（以下、「周知技術」という。）。
　
　［対比］
　補正後の発明と引用発明１を対比すると、
　引用発明１の「第１キャビネット１」は、装置の本体であるので、補正後の発明の「装置本体」に相当する。そして、引用発明１の「第２キャビネット２」は、開閉するカバーであるので、補正後の発明の「開閉カバー」に相当する。
　引用発明１の「マイクロホン１４」と補正後の発明の「第１のマイクロホン」に関し、引用発明１の「マイクロホン１４」が開閉カバーに相当する第２キャビネット２に設けられ、本願発明の「第１のマイクロホン」が装置本体に設けられている点は相違するものの、両マイクロホンはともに「開閉カバーを閉じたとき音声の入力が可能となるマイクロホン」である点で一致する。
　引用発明１の「上記第２キャビネット２の内面側に設けられ第２キャビネットを開いたとき音声の入力が可能となるマイクロホン１３」は、補正後の発明の「上記開閉カバーの内面側に設けられる第２のマイクロホン」に相当する。
　引用発明１の「制御回路１８」は、マイクロホンの接続を制御する回路であるので、補正後の発明の「接続回路」に相当する。
　引用発明１の「切換スイッチ１７」は、２個のマイクロホンへのそれぞれの回路を切り換えるための切換手段であり、回路はパターンであるといえるので補正後の発明の「パターン切換手段」に相当する。
　引用発明１の「折りたたみ式携帯電話機」は、補正後の発明の「折りたたみ式携帯型通信装置」に相当する。
  したがって、両者は以下の点で一致ないし相違する。
　
　（一致点）
　「装置本体と、開閉カバーを閉じたとき音声の入力が可能となるマイクロホンと、上記装置本体の前面を覆う開閉カバーと、上記開閉カバーの内面側に設けられる第２のマイクロホンと、開閉カバーの開閉にともない第１のマイクロホンと第２のマイクロホンとの接続回路を切り換えるパターン切換手段と、をそなえた折りたたみ式携帯型通信装置。」
　
　（相違点） 
　ａ）「開閉カバーを閉じたとき音声の入力が可能となるマイクロホン」に関し、補正後の発明では「上記装置本体に設けられる」のに対し、引用発明１では「上記第２キャビネット２に設けられる」点。
　ｂ）パターン切換手段が、補正後の発明は「上記開閉カバーの回動中心部にヒンジ構造と一体に」構成されているのに対し、引用発明１は「上記第１キャビネット１に」構成されている点。
　
　［判断］
　相違点ａ）について検討する。
　前記［引用発明］の（Ｂ）の項に記載したように、引用発明２は、「本体１０と、上記本体１０に設けられるマイクロホン１７と、上記本体１０の前面を覆う第１フリップカバー２０と、上記第１フリップカバー２０の内面側に設けられるマイクロホン３０と、をそなえたフリップ型携帯用端末機。」である。
　そして、引用発明２のマイクロホン３０は補正後の発明の「開閉カバー」に相当する第１フリップカバーを開いたときに使用することを目的としたマイクロホンであり、マイクロホン１７は、第１フリップカバーを開かずに使用することを目的としたマイクロホンである。（特に、引用例２の段落【００１９】，【００２２】の記載参照）
　ここで、引用発明２のマイクロホン３０とマイクロホン１７は、第１フリップカバーの開閉により切り換えて使用するものではないが、第１フリップカバーの開閉に応じて選択的に使用することを目的としているので、共に二つのマイクロホンを有する折りたたみ式携帯型通信装置である引用発明２の２つのマイクロホンの構成を引用発明１に適用して、「開閉カバーを閉じたとき音声の入力が可能となるマイクロホン」に関し、引用発明１の「上記第１キャビネット１に設け」ることに代えて引用発明２のように「上記装置本体に設け」るようにすることは当業者が適宜為し得ることである。
　
　相違点ｂ）について検討する。
　前記［周知例］の項に記載したように、折りたたみ式携帯型通信装置において、装置本体と、装置本体の前面を覆う開閉カバーと、開閉カバーの内面側に設けられるマイクロホンと、開閉カバーの回動中心部にヒンジ構造と一体に開閉カバーの開閉にともないマイクロホンを使用可能とするように電気的に接続する接続手段と、をそなえる技術は周知技術である。
　すなわち上記周知技術は、開閉カバーの内面側に設けられるマイクロホンを、開閉カバーが閉じた状態では使用せず、開閉カバーが開いた状態で使用するように、開閉カバーの回動中心部にヒンジ構造と一体に接続手段を設け、マイクロホンを電気的に接続するための技術である。
　一方、引用発明１では、補正後の発明の「開閉カバー」に相当する第２キャビネット２を閉じた状態では、第２キャビネット２の内面側に設けられるマイクロホン１３を使用せず、代わりに「開閉カバーを閉じたとき音声の入力が可能となるマイクロホン」を使用し、第２キャビネット２を閉じた状態では、第２キャビネット２の内面側に設けられるマイクロホン１３を電気的に接続して使用可能とし、代わりに「開閉カバーを閉じたとき音声の入力が可能となるマイクロホン」を使用しないようにしている。
　この引用発明１の第２キャビネット２の内面側に設けられるマイクロホン１３を「開閉カバー」に相当する第２キャビネット２の開閉に応じて電気的に接続するにあたり、切換スイッチ１７により接続することに代えて、上記周知技術を適用して、開閉カバーの回動中心部にヒンジ構造と一体に開閉カバーの開閉にともないマイクロホンを使用可能とするように電気的に接続する接続手段により接続することは当業者が容易に実施し得ることであって、その際、該マイクロホン１３を使用しないときには、代わりに「開閉カバーを閉じたとき音声の入力が可能となるマイクロホン」を使用するように電気的接続を行ってパターン切換手段を構成することも容易になし得ることである。
　
　したがって各相違点は格別なものでない。そして、補正後の発明が奏する効果も各引用発明、周知技術から容易に予測出来る範囲内のものである。 
　
　よって、補正後の発明は、引用発明１、２及び周知技術に基いて当業者が容易に発明をすることができたものであるから、特許法第２９条第２項の規定により、特許出願の際独立して特許を受けることができないものである。
　
３．結語 
　以上のとおり、本件補正は、補正後の発明が特許出願の際独立して特許を受けることができないものであるから、平成１８年法律第５５号改正法の附則第３条第１項によりなお従前の例によるとされる同法による改正前の特許法第１７条の２第５項の規定により準用する同法第１２６条第５項の規定に適合していない。
　したがって、本件補正は、特許法第１５９条第１項において読み替えて準用する同法第５３条第１項の規定により却下すべきものである。
　
　
第３．本願発明について
１．本願発明
　平成２１年９月１４日付けの手続補正は上記のとおり却下されたので、本願発明は上記「第２．補正却下の決定」の項中の「１．本願発明と補正後の発明」の項で「本願発明」として認定したとおりである。
　
２．引用発明
　引用発明は、上記「第２．補正却下の決定」の項中の「（２）独立特許要件」の項中の［引用発明］で認定したとおりである。
　
３．対比・判断
　本願発明は上記補正後の発明から本件補正に係る限定を省いたものである。
　そうすると、本願発明の構成に補正に係る限定を付加した補正後の発明が、上記「第２．補正却下の決定」の項中の「（２）独立特許要件」の項で検討したとおり、引用発明１、２及び周知技術に基いて当業者が容易に発明をすることができたものであるから、本願発明も、同様の理由により、引用発明１、２及び周知技術に基いて当業者が容易に発明をすることができたものである。
　
４．むすび
　以上のとおり、本願発明は、引用発明１、２及び周知技術に基いて当業者が容易に発明をすることができたものであるから、特許法第２９条第２項の規定により特許を受けることができない。
　
　よって、結論のとおり審決する。